(57)【要約】【課題】災害や緊急時に受水槽や給水タンクの貯留水を取水可能な手動式ポンプ装置を提供する。【解決手段】先端部に逆流防止弁５１が設けられ、逆流防止弁５１を受水槽４０のマンホール４１に水没させて受水槽４０内の水を吸い込むためのホース５３と、逆流防止弁５１が設けられたホース５３をマンホール４１に係合支持するための保持部５４と、ホース５３の他端に設けた手動ポンプ５５と、手動ポンプ部５５の流入口側と送水口側とに夫々の開口端部が接続され、第１給水バルブを設けた迂回配管と、第２給水バルブ部５６が設けられ、送水口側に受水槽４０内の水を送水するための採水管５７とを具備する手動式ポンプ装置５０である。【選択図】図１
2010048100.tif 000002
【特許請求の範囲】
【請求項１】
先端部に逆流防止弁が設けられ、該逆流防止弁を受水槽又は給水タンクのマンホールから挿入し該受水槽又は給水タンク内の貯留水中に水没させて吸い込むためのホースと、
前記マンホールの周囲に前記ホースを係合支持するための保持部と、
前記ホースの他端に設けた手動ポンプ部と、
第１給水バルブが設けられ、前記手動ポンプ部の流入口側と送水口側との間に接続された迂回配管と、
第２給水バルブが設けられ、前記送水口側に接続されて前記受水槽又は給水タンク内の水を送水するための採水管とを具備することを特徴とする手動式ポンプ装置。
【請求項２】
前記ホースが突起又はフランジを設けた管状の前記保持部に挿通されていることを特徴とする請求項１に記載の手動式ポンプ装置。
【請求項３】
前記ホースが前記逆流防止弁を設けた部分から前記保持部までが剛性の直管であり、該保持部以降を可撓性を有する部材であることを特徴とする請求項１に記載の手動式ポンプ装置。
【請求項４】
前記逆流防止弁にフィルタが設けられたことを特徴とする請求項１，２又は３に記載の手動式ポンプ装置。
【請求項５】
前記手動ポンプ部がダイヤフラム式であることを特徴とする請求項１〜４の何れか１項に記載の手動式ポンプ装置。
【請求項６】
前記保持部より前記逆流防止弁側のホースに呼水を供給する呼水容器を設けたことを特徴とする請求項１〜５の何れか１項に記載の手動式ポンプ装置。
【請求項７】
請求項１〜６の何れか１項に記載の手動式ポンプ装置が収納ケース内に収納されて収納保管可能であることを特徴とする手動式ポンプ装置。
【請求項８】
前記収納ケースを前記手動式ポンプ装置の架台とすることを特徴とする請求項７に記載の手動式ポンプ装置。
【発明の詳細な説明】
【技術分野】
【０００１】
本発明は、災害や緊急時に受水槽や給水タンクの貯留水を給水可能な手動式ポンプ装置に関する。
【背景技術】
【０００２】
従来、停電や断水等が起きた災害等に使用する簡易浄水器には手動式ポンプとしてダイヤフラムポンプが使用されている。簡易浄水器は図１２（ａ），（ｂ）に示すように、ポンプ部１、操作部２、フイルタ部３から構成されている。図１２（ａ）はポンプ部の右半分等を断面で示した図、図１２（ｂ）は図１２（ａ）のＸ−Ｘ断面図である。ポンプ部１にはダイヤフラムポンプが使用されており、ポンプ胴体１０、往復動ポンプ軸１１、ダイヤフラム挟持部１２、ダイヤフラム１３、ポンプ軸１１を支持したり、ポンプ胴体１０を仕切る内部壁１４、ポンプ軸１１に２個設けられた係合片１５、ポンプを支える架台１６等で構成されている。操作部２はポンプを操作するハンドル１７、ハンドル軸１８、ハンドル軸１８に取り付けたリンク杆１９、リンク杆１９に取り付けられ前記の係合片１５の間で係合する駆動ピン２０、ハンドル１７の握り部２１等で構成されている。さらに、吸込口２２、吸込通路２３、吸入弁部２４、バルブ用のボール２５、ダイヤフラム１３とポンプ胴体１０の間に形成される可変容積のポンプ室２６、吐出弁部２７、バルブ用ボール２８、吐出口２９が設けられ、吐出口２９にプリーツ型濾過紙フイルタ３０が連結され、さらに内部に収納した抗菌活性炭３２と中空糸膜フイルタ３３とが設けられた高性能フイルタ筐３１とが接続されている。
【０００３】
従来の手動簡易浄水器は、握り部２１を持ってハンドル１７を回転することによって、ハンドル軸１８とともにリンク杆１９が回転し、リンク杆１９に取り付けられた駆動ピン２０も回転する。すると、図１２（ｂ）に示すように、駆動ピン２０はポンプ軸１１に取り付けられた２つの係合片１５の間に係合しているので、駆動ピン２０の回転に応じ係合片１５を介してポンプ軸１１も左右に往復動する。同図ではポンプ軸１１が左端にあり、さらにハンドル１７を回転すると、ポンプ軸１１は右端へと移動する。ポンプ軸１１の往復動の応じてダイヤフラム１３が応動しダイヤフラム１３が隔てるポンプ室２６の左右内室が交互に拡大・縮小を繰り返す。ダイヤフラム１３の応動による左右内室の拡大・縮小に呼応して左右のポンプ室２６が吸引口２２から水を吸引し、吸込通路２３を経て右ポンプ室２６に吸い込まれ、ダイヤフラム１３の応動による右ポンプ室２６の縮小に応じて右ポンプ室２６内の水は吐出口２９からフイルタ部３へと送水される。左右ポンプ室２６に交互に水の吸引と吐出が繰り返されて水がフイルタ部３へと送水される（例えば、特許文献１参照）。
【０００４】
【特許文献１】特開平８−３３２４８０号公報
【発明の開示】
【発明が解決しようとする課題】
【０００５】
従来例では、手動簡易浄水器に手動ポンプとしてダイヤフラムポンプが用いられたものであり、ハンドルを回転し続けることによって、フイルタ部で浄化した水を送水することができる。この種の手動簡易浄水器では、吸引した水に水圧を掛けてフイルタ部に送り込んで浄水しており、ハンドルを操作し続けることが前提であり問題はない。しかし、災害や緊急時などで飲料水を給水する手動式ポンプとしてダイヤフラムポンプ等の手動ポンプを使用した場合、手動ポンプを作動し続けなければ、飲料水を供給することができないといった問題点があった。たとえば、水道管の破壊や送電が止まる等の緊急時、受水槽や給水タンクから飲料水を取水して給水する際、給水口に要員を確保するのが困難な場合もあって、蛇口を捻れば給水できる手動式ポンプ装置が望まれていた。
【０００６】
本発明は、災害や緊急時に受水槽や給水タンクの貯留水を取水可能な手動式ポンプ装置を提供することを目的とし、災害や緊急時に即応し得るように保管が容易である収納式の手動式ポンプ装置を提供することを目的とする。
【課題を解決するための手段】
【０００７】
本発明は、上記課題を解決したものであり、請求項１の発明は、先端部に逆流防止弁が設けられ、該逆流防止弁を受水槽又は給水タンクのマンホールから挿入し該受水槽又は給水タンク内の貯留水中に水没させて吸い込むためのホースと、
前記マンホールの周囲に前記ホースを係合支持するための保持部と、
前記ホースの他端に設けた手動ポンプ部と、
第１給水バルブが設けられ、前記手動ポンプ部の流入口側と送水口側との間に接続された迂回配管と、
第２給水バルブが設けられ、前記送水口側に接続されて前記受水槽又は給水タンク内の水を送水するための採水管とを具備することを特徴とする手動式ポンプ装置である。
【０００８】
また、請求項２の発明は、前記ホースが突起又はフランジを設けた管状の前記保持部に挿通されていることを特徴とする請求項１に記載の手動式ポンプ装置である。
【０００９】
また、請求項３の発明は、前記ホースが前記逆流防止弁を設けた部分から前記保持部までが剛性の直管であり、該保持部以降を可撓性を有する部材であることを特徴とする請求項１に記載の手動式ポンプ装置である。
【００１０】
また、請求項４の発明は、前記逆流防止弁にフィルタが設けられたことを特徴とする請求項１，２又は３に記載の手動式ポンプ装置である。
【００１１】
また、請求項５の発明は、前記手動ポンプ部がダイヤフラム式であることを特徴とする請求項１〜４の何れか１項に記載の手動式ポンプ装置である。
【００１２】
また、請求項６の発明は、前記保持部より前記逆流防止弁側のホースに呼水を供給する呼水容器を設けたことを特徴とする請求項１〜５の何れか１項に記載の手動式ポンプ装置である。
【００１３】
また、請求項７の発明は、請求項１〜６の何れか１項に記載の手動式ポンプ装置が収納ケース内に収納されて収納保管可能であることを特徴とする手動式ポンプ装置である。
【００１４】
また、請求項８の発明は、前記収納ケースを前記手動式ポンプ装置の架台とすることを特徴とする請求項７に記載の手動式ポンプ装置である。
【発明の効果】
【００１５】
請求項１の発明では、請求項１の発明は、先端部に逆流防止弁が設けられ、該逆流防止弁を受水槽又は給水タンクのマンホールから挿入し該受水槽又は給水タンク内の貯留水中に水没させて吸い込むためのホースと、
前記マンホールの周囲に前記ホースを係合支持するための保持部と、
前記ホースの他端に設けた手動ポンプ部と、
第１給水バルブが設けられ、前記手動ポンプ部の流入口側と送水口側との間に接続された迂回配管と、
第２給水バルブが設けられ、前記送水口側に接続されて前記受水槽又は給水タンク内の水を送水するための採水管とを具備することを特徴とする手動式ポンプ装置であるので、第１給水バルブを閉じ、第２給水バルブを開いた状態で、手動ポンプを操作して受水槽又は給水タンク内の貯留水を吸い上げて採水管から採水し、その時点で第１給水バルブを開くことにより、手動ポンプを操作することなく、サイホンの原理により吸い込まれた貯留水が迂回配管から採水管を経て送水され、手動ポンプを操作することなく、受水槽又は給水タンク内の貯留水を給水することができる利点がある。
【００１６】
また、請求項２の発明は、前記ホースが突起又はフランジを設けた管状の前記保持部に挿通されていることを特徴とする請求項１に記載の手動式ポンプ装置であるので、ホースが保持部に挿通され、保持部の突起又はフランジに受水槽又は給水タンクのマンホールの縁に掛合させてホースを保持することができる利点がある。
【００１７】
また、請求項３の発明では、前記ホースが前記逆流防止弁を設けた部分から前記保持部までが剛性の直管であり、該保持部以降を可撓性を有するホースとしたことを特徴とする請求項１に記載の手動式ポンプ装置であるので、手動式ポンプ装置による送水を停止したとしても短時間であればホース内の水が受水槽又は給水タンク内に逆流することがなく、第２給水バルブを開けば再び採水管から送水される利点がある。
【００１８】
また、請求項４の発明では、前記逆流防止弁にフィルタが設けられたことを特徴とする請求項１，２又は３に記載の手動式ポンプ装置であるので、比較的大きな不純物はフィルタで除去することができるし、また、フィルタが逆流防止弁の開口端側に突出するように設けられるので、受水槽等の底部まで差し込んだとしてもフィルタにより流入口を閉塞することがない利点がある。
【００１９】
また、請求項５の発明では、前記手動ポンプ部がダイヤフラム式であることを特徴とする請求項１〜４の何れか１項に記載の手動式ポンプ装置であるので、大容量の容積の流体を移送させることが可能であり、呼水を使用することなく、ホース内の空気を吸い込みながら貯留水を吸い上げて給水することができる利点がある。
【００２０】
また、請求項６の発明では、前記保持部より前記逆流防止弁側のホースに呼水を供給する呼水容器を設けたことを特徴とする請求項１〜５の何れか１項に記載の手動式ポンプ装置であるので、ダイヤフラム式以外の小容積量の手動ポンプであっても呼水を流入管内に注ぎ込んで給水することができる利点がある。
【００２１】
また、請求項７の発明では、請求項１〜６の何れか１項に記載の手動式ポンプ装置が収納ケース内に収納されて収納保管可能であることを特徴とする手動式ポンプ装置であるので、手動式ポンプ装置を収納ケース内に収納して管理室等に保管し、災害や緊急時に取り出し、受水槽や給水タンクのマンホールからホースを差し込んで手動式ポンプ装置を装着し受水槽や給水タンク内の水を給水することができる利点がある。
【００２２】
また、請求項８の発明では、前記収納ケースを前記手動式ポンプ装置の架台とすることを特徴とする請求項７に記載の手動式ポンプ装置であるので、収納ケースから手動式ポンプ装置を取り出し、収納ケースを手動ポンプの架台として利用することができる利点がある。
【発明を実施するための最良の形態】
【００２３】
以下、本発明の実施の形態について図１〜図１１を参照し説明する。なお、図１は本発明に係る手動式ポンプ装置の一実施形態の使用例を示す概略側面図である。図２は本実施形態における手動式ポンプ装置の手動ポンプ部の模式図、図３はその概略斜視図である。図４（ａ）は手動ポンプの上面図、図４（ｂ）はその側部断面図である。図５はホース先端部の左半分側面図である。図６はホース保持部の側面図、図７は他の形態のホース保持部の側面図である。図８は本発明に係る手動式ポンプ装置の他の実施形態の使用例を示す概略側面図である。図９は図８の実施形態の要部拡大図、図１０はその要部斜視図である。図１１（ａ）は本実施形態の手動式ポンプ装置を収納ケースに収納した上面図、図１１（ｂ）は収納ケースを架台として使用例を示す斜視図である。
【００２４】
本実施形態の手動式ポンプ装置は緊急や災害時に使用するものである。給水設備には、中層や高層建物の各階の居住部等へ給水する場合、一旦受水槽で水道水を貯留し、３階程度の中層では受水槽に貯留した水道水を給水ポンプで送水するようにし、また、高層階への給水は、受水槽の貯留水を給水ポンプで屋上に設置した高置水槽に送水し、一旦屋上に設置した高置水槽に貯留した後、高置水槽から給水するようにしている。何れの場合も受水槽の貯留水を給水ポンプで給水するようにしている。従って、災害等に停電が発生した場合には給水ポンプが駆動せず受水槽に送水することができないことになるが、本実施形態の手動式ポンプ装置ではこのような緊急時に受水槽の貯留水を生活用水や飲料水として利用することができる。
【００２５】
図１は本実施形態の使用例を示しており、受水槽４０は基台に設置され、図示していない給水引込管に接続された給水管に制御弁が設けられ、制御弁が作動して矢印Ａで示すように水道水が受水槽４０内に送水され、受水槽４０内の所定水位が維持されるようにしている。受水槽４０内の貯留水は、給水ポンプの作動により矢印Ｂに示すように、各階に送水されか、又は高置水槽に送水し各階に送水される。受水槽４０の上部には点検や清掃の際に利用されるマンホール４１が設けられ、通常、マンホール４１は蓋体４２で封じられている。また、受水槽４０には水位を計測する計測器やオーバーフロー管等が設けられている。
【００２６】
本実施形態の手動式ポンプ装置５０は、受水槽４０又は給水タンク内の貯留水をマンホール４１からホース５３を差し込み水没させて吸い込み給水するためのものであり、ホース５３には、その吸い込み側ホース５３ａの先端に逆流防止弁５１が設けられ、逆流防止弁５１の開口端にフィルター５２が装着され、ホース５３の途中にはマンホール４１の縁に係止してホース５３を保持する保持部５４が設けられ、ホース５３の採水側ホース５３ｂの端部には手動ポンプ部５５が接続されている。保持部５４はエルボ状又は直管状の管である。
【００２７】
手動ポンプ部５５は、図２及び図３に示すように、手動ポンプ６０と、手動ポンプ６０を迂回する迂回流路７０と、水の流れを確認するための窓８１を有するストレーナー８０とで構成されており、採水側ホース５３ｂの端部がストレーナー８０の流入側開口端に接続され、その流出側開口端側に三方継ぎ手５８が接続されて手動ポンプ６０の吸入口に接続され、手動ポンプ６０の吐出口側に三方継ぎ手５９が接続され、第２給水バルブ５６が設けられた彩水管５７が接続されている。三方継ぎ手５８，５９の分岐開口端間には第１給水バルブ７１が接続された迂回流路７０がそれらの両開口端が三方継ぎ手５８，５９の分岐開口端に夫々接続されている。なお、三方継ぎ手５８又は５９がバルブ付きであり、流路の切り替えが可能な場合は迂回配管７２に第１給水バルブ７１を設ける必要はない。
【００２８】
手動ポンプ６０は、図４（ａ），（ｂ）に示すように、ポンプ室６１を形成するポンプ胴体６２と、ポンプ室６１の上部開口端部に取り付けられたダイヤフラム６３と、ダイヤフラム６３の中央部に取り付けられた押圧部材６４と、押圧部材６４を押圧するハンドル６５とで構成され、ポンプ室６１は、吸込弁６６を介して吸い込み口６８と連通し、また、吐出弁６７を介して吐出口６９と連通している。また、同図において、点線で示したダイヤフラム６３はハンドル６５で押圧した状態を示し、ハンドル６５による押圧によりポンプ室６１内の容積が減少し、ハンドル６５による押圧力を解除するとポンプ室６１内の容積が増大する。ポンプ室６１内の容積の増減を繰り返すことによって、貯留水をホース５３を通して吸い上げることができる。なお、手動ポンプ６０はダイヤフラム式に限定することなく、ピストンやプランジャ式等の他の手動ポンプであってもよい。
【００２９】
また、逆流防止弁５１は、図５に示すように、パッキン５１ａとボール５１ｂとで逆流を防止する構造であり、ホース５３ａの開口端に逆流防止弁５１が接続され、逆流防止弁５１の開口端にフィルター５２が接続されている。フィルター５２は比較的大きな不純物を除去するものであり、フィルター５２が逆流防止弁の開口端側に突出するように設けられており、ホース５３ｂを受水槽４０又は給水タンクの貯留水内に水没させて底に達しても先端部のフィルター５２の開口部が閉鎖されることがなく流入経路を確保できる。
【００３０】
保持部５４は、図６に示すように、ホース５３が挿通される管状の保護管５４ａであり、マンホールの縁に係止可能なように保護管５４ａの両開口端に突起部或いはフランジ部５４ｂが形成されている。また、図７に示すように、保護管がフランジ付きエルボ管５４ｃであり、一方のフランジ部５４ｄには採水側ホース５３ｂの他端部に設けたフランジ５３ｄが接続され、他方のフランジ部５４ｄには直管５３ｃの端部に設けたフランジ５３ｄが接続される。なお、直管５３ｃは蛇腹状のホースであってもよいし、直管５３ｃの長さを調整可能にしてもよい。
【００３１】
本実施形態では、災害時の停電で給水ポンプが停止した際、図１〜図３に示すようにマンホール４１からホース５３ｂの他端部に設けた逆流防止弁５１を受水槽４０内の貯留水に差し込んで設置し、彩水管５７の蛇口部に受け容器１００を設置する。続いて、第１の給水バルブ７１を締めて第２の給水バルブ５６を開き、手動ポンプ６０のハンドル６５を操作することにより、受水槽４０内の貯留水が吸い込み側ホース５３ａの端部から吸い上げられ、ホース５３、手動ポンプ部５５を経て彩水管５７を経て流れ出る。一旦、第２の給水バルブ５６を締めて閉じ、第１の給水バルブ７１を開くことによって、吸い上げられた貯留水が迂回配管７２を流れて彩水管５７から流れ出る。彩水管５７の吐出口の位置は、フィルター５２の取水口の位置より下方にすることによって、手動ポンプ６０のハンドル６５を操作することなく、水を給水することができる。なお、彩水管５７の吐出口の位置を受水槽４０の貯留水の水面より低い位置とすることによって、サイフォンの原理に基づいて彩水管５７の吐出口から貯留水が流出する。
【００３２】
次に、本実施形態の他の形態について図８〜図１０を参照し説明する。図８は呼水を必要とする場合の実施形態である。この手動ポンプ装置９０は、ホース９１の採水側ホース９１ｂの一端部が手動ポンプ部５５に接続され、ホース９１の途中に保護管５４が設けられ、保護管５４から挿通された吸い込み側ホース９１ａの他端が三方継ぎ手９３の一開口端に接続され、他の開口端に直管又はホース９２が接続され、ホース９２の他端部に逆流防止弁５１が接続され、逆流防止弁５１の開口端にフィルター５２が接続されている。三方継ぎ手９３の他開口端部にはバルブ９４が接続されて呼水容器９５が接続されている。呼水容器９５は器状底部に流路が設けられ、この流路にバルブ９４が接続されている。図９，図１０に詳細に示したように、呼水容器９５には係止片９５ａが設けられ、係止片９５ａをマンホール４１の縁に係合させて呼水容器９５が取付けられる。また、呼水容器９５にはロープ９６が結ばれ、ロープ９６の他端部にフック９６ａが接続され、マンホール４１の蓋体４２の把持部４３にフック９６ａを係合して受水槽４０内に落下するのを防止する。また、マンホール４１と蓋体４２との隙間から虫が入らないようにマンホール４１の開口部を覆うように防虫ネット９７が設けられる。保持部５４，手動ポンプ部５５は上記実施形態と同様である。
【００３３】
図８の実施形態では、先ず、上記と同様に、第１の給水バルブ７１を締めて閉じ、第２の給水バルブ５６を開いた後、バルブ９４を閉じて呼水容器９５に呼水を供給する。バルブ９４を開いてハンドル６５を操作することにより、彩水管５６から水が吐出する。その後、第１の給水バルブ７１を開きことによって、手動ポンプ６０を経由していた水の流れを迂回配管７２から彩水管５６を経由して流すことができる。その後は、第２の給水バルブ５６の開閉により水を彩水管５７を介して給水することができる。
【００３４】
本実施形態の手動式ポンプ装置５０は、図１１（ａ）に示すように、収納ケース１１０に収納されて管理室等に保管される。収納ケース１１０はダンボール製でよいが、収納ケース１１０を金属或いは樹脂製等であってもよい。金属や樹脂製、又はこれらの複合材料で形成されている場合、収納ケース１１０の外板壁面に係止金具１１１を設け、また、手動式ポンプ５５の底部に係合金具を設け、手動式ポンプ５５の係合金具を係止金具１１１に係合させて手動式ポンプ５５を収納ケース１１０に装着することができ、収納ケース１１０を手動ポンプ部５５の架台として利用することができる。収納ケース１１０を手動ポンプ部５５の架台とすることによって、採水の際に手動ポンプ部５５を安定させて利用することができるし、彩水容器１００への採水が容易になる。
【産業上の利用可能性】
【００３５】
本発明の活用例としては、災害や緊急時に手動により受水槽又は給水タンク内の貯留水を給水可能な手動式ポンプ装置として利用することができるし、また、災害時などに散水車や給水車のタンク内の水を給水する際にも利用することができる。防災用品や非常用手動ポンプ装置として活用することができる。
【図面の簡単な説明】
【００３６】
【図１】本発明に係る手動式ポンプ装置の一実施形態の使用例を示す概略側面図である。
【図２】本実施形態における手動式ポンプ装置の手動ポンプ部の模式図である。
【図３】本実施形態における手動ポンプ部の概略斜視図である。
【図４】（ａ）は手動ポンプの上面図、（ｂ）はその側部断面図である。
【図５】本実施形態におけるホース先端部の左半分側面図である。
【図６】本実施形態におけるホース保持部の側面図である。
【図７】本実施形態における他の形態のホース保持部の側面図である。
【図８】本発明に係る手動式ポンプ装置の他の実施形態の使用例を示す概略側面図である。
【図９】図８の実施形態の要部拡大図である。
【図１０】図８の要部斜視図である。
【図１１】（ａ）は本実施形態の手動ポンプ装置を収納ケースに収納した状態の上面図、（ｂ）は収納ケースを架台として使用した概略側面図である。
【図１２】手動ポンプを利用した従来の簡易浄水器を示し、（ａ）はポンプ部の右半分等を断面、（ｂ）は（ａ）のＸ−Ｘ断面図である。
【符号の説明】
【００３７】
４０  受水槽
４１  マンホール
４２  蓋体
５０，９０  手動式ポンプ装置
５１  逆流防止弁
５１ａ  パッキン
５１ｂ  ボール
５２  フィルター
５３，９２  ホース
５３ａ  吸い込み側ホース
５３ｂ  採水側ホース
５４  保持部
５４ａ  保護管
５４ｂ，５４ｄ  フランジ部
５４ｃ  エルボ管
５５  手動ポンプ部
５６  第２給水バルブ
５７  彩水管
５８，５９，９３  三方継ぎ手
６０  手動ポンプ
６１  ポンプ室
６２  ポンプ胴体
６３  ダイヤフラム
６４  押圧部材
６５  ハンドル
６６  吸込弁
６７  吐出弁
６８  吸い込み口
６９  吐出口
７０  迂回流路
７１  第１給水バルブ
７２  迂回配管
８０  ストレーナー
８１  窓
９４  バルブ
９５  呼水容器
９６  ロープ
９６ａ  フック
９７  防虫ネット
１００  彩水容器
１１０  収納ケース
１１１  係止金具
【図１】
2010048100.tif 000003
【図２】
2010048100.tif 000004
【図３】
2010048100.tif 000005
【図４】
2010048100.tif 000006
【図５】
2010048100.tif 000007
【図６】
2010048100.tif 000008
【図７】
2010048100.tif 000009
【図８】
2010048100.tif 000010
【図９】
2010048100.tif 000011
【図１０】
2010048100.tif 000012
【図１１】
2010048100.tif 000013
【図１２】
2010048100.tif 000014